(57)【要約】【課題】表示品位を向上できる液晶セルを提供する。【解決手段】液晶セル１の画素８の反射表示領域13に液晶駆動領域17と液晶不動領域18とを設ける。液晶駆動領域17にカラーフィルタ層33を積層させずにモノクロ表示領域38とする。液晶不動領域18に赤色フィルタ部34または緑色フィルタ部を積層する。反射表示領域13で反射される光が青色の捕色である黄色みが強調された光となる。反射表示領域13にて反射される光の青みを低減できるので無彩色化でき、強度を低下できるから、色みを目立たなくできる。液晶セル１に表示される画像の色みを補正でき、青みの少ない黒表示が可能となる。【選択図】図１
2007147874.tif 000002
【特許請求の範囲】
【請求項１】
透光性基板、およびこの透光性基板の一主面上にマトリクス状に設けられた複数の画素を備えたアレイ基板と、
このアレイ基板の透光性基板の一主面に対向して配設された透光性基板を備えた対向基板と、
前記アレイ基板と前記対向基板との間に介在された液晶層とを具備し、
前記複数の画素は、少なくとも明暗表示が可能な明暗表示部を有し、光の反射を利用して視認可能な反射領域を備え、
この反射領域の明暗表示部には、前記液晶層を動作させない非動作領域が設けられ、
前記画素の少なくともいずれかの前記非動作領域には、赤色に着色された赤色層および緑色に着色された緑色層のいずれかが積層されている
ことを特徴とする液晶表示装置。
【請求項２】
複数の画素は、これら複数の画素に対応して赤色層、緑色層、および青色に着色された青色層のいずれかが積層されカラー表示が可能なカラー表示部を有し、
前記画素に積層されている前記赤色層および緑色層は、前記青色層より広い範囲に積層されている
ことを特徴とする請求項１記載の液晶表示装置。
【請求項３】
複数の画素の少なくともいずれかの非動作領域には、これら複数の画素毎に赤色層および緑色層のいずれかが積層されている
ことを特徴とする請求項１記載の液晶表示装置。
【請求項４】
液晶層は、アレイ基板の透光性基板に対して垂直に配列された液晶分子を備えている
ことを特徴とする請求項１記載の液晶表示装置。
【発明の詳細な説明】
【技術分野】
【０００１】
本発明は、アレイ基板と対向基板との間に液晶層が介在された液晶表示装置に関する。
【背景技術】
【０００２】
従来、この種の液晶表示装置は、液晶素子を用いており、軽量、薄型および低消費電力などの特徴を有することから、ワードプロセッサやパーソナルコンピュータなどのＯＡ機器や、電子手帳などの携帯情報機器、液晶モニタを備えたカメラ一体型のビデオテープレコーダ装置などの様々な分野に用いられている。
【０００３】
さらに、この種の液晶表示装置は、ブラウン管などの陰極線管やエレクトロルミネッセンス(ＥＬ)とは異なり、自己発光しない。このため、バックライトを液晶表示素子である液晶パネルの背面に設置して照明させて、このバックライトからの光を透過させることによって液晶パネルに表示される画像を目視可能とさせる透過型の液晶表示装置が知られている。
【０００４】
ところが、この種の透過型の液晶表示装置では、バックライトが液晶表示装置の全消費電力の５０％以上を消費してしまう。このため、屋外や常時携帯して使用する機会が多い携帯情報機器では、バックライトの代わりに反射板を設置して、周囲の光を入射させ、この光の反射によって液晶パネルに表示される画像を目視可能とさせる反射型の液晶表示装置も知られている。
【０００５】
さらに、この反射型の液晶表示装置は、周囲の光が弱く暗い場合に、表示に用いられる反射光が低下してしまうので視認性が極端に低下してしまうという問題がある。一方、透過型の液晶表示装置は、反射型の液晶表示装置とは逆に、周囲の光が非常に強くて明るい晴天下などで眩しすぎて視認性が低下するという問題がある。ここで、この種の問題を解決する液晶表示装置として、液晶パネルの１つの画素内に、光の反射を利用して目視可能な反射表示領域と、光の透過を利用して目視可能な透過表示領域とをそれぞれ形成した半透過型の液晶表示装置が知られている。
【０００６】
そして、この種の半透過型の液晶表示装置としては、アレイ基板と対向基板との間に介在された液晶層の厚さを反射表示領域と透過表示領域とで変化させることによって、これら反射表示領域および透過表示領域で反射表示および透過表示のそれぞれを実現させた構成が知られている(例えば、特許文献１参照。)。
【０００７】
さらに、この種の半透過型の液晶表示装置の液晶表示方式としては、液晶の配向変化を表示に用いる方式であればよいことから、例えば反射型の液晶表示装置で用いられるツイステッドネマティック(ＴＮ)モードや、スーパーツイステッドネマティック(ＳＴＮ)モードなどの偏光板を利用する方式や、偏光板を用いずに液晶層に液晶分子と色素とを分散させて、この色素による光吸収にて明るい表示を可能とさせた相転移型ゲストホストモードなどが用いられた構成が知られている(例えば、特許文献２参照。)。
【０００８】
ところが、この種の相転移型ゲストホストモードを用いた半透過型の液晶表示装置では、液晶層に液晶分子と色素とを分散させているため、この液晶層での色素の光吸収を用いて表示させることからコントラストの確保が容易ではない。したがって、ツイステッドネマティックモードや、スーパーツイステッドネマティックモード等の偏光板を利用する方式に比べて表示品位が著しく悪化するおそれがある。
【０００９】
また、液晶層の液晶分子を水平に配向させる水平配向や、これら液晶分子をねじりながら配向させるツイスト配向を用いた液晶表示方式の液晶表示装置の場合には、液晶層の厚さ方向の中心付近に位置する液晶分子は電圧印加時にアレイ基板に対して垂直となるが、このアレイ基板および対向基板に積層された配向膜近傍に位置する液晶分子は電圧を印加してもアレイ基板に対して垂直にならない。したがって、液晶層の複屈折率が０とはならず、電圧印加時に黒表示させる表示モードであるノーマリーホワイトモードの場合には、液晶層の複屈折によって十分な黒表示ができず、十分なコントラストを得ることが容易でない。
【００１０】
さらに、ツイステッドネマティックモードや、スーパーツイステッドネマティックモード等の液晶表示方式を用いた液晶表示装置であっても、輝度やコントラストの点で十分な表示品位を有することは容易ではなく、さらなる高輝度化やコントラスト向上などといった表示品位の向上が求められている。
【００１１】
その一方、この種の液晶表示装置としては、マルチドメイン型垂直配向(Vertically Aligned:ＶＡ)モードを用いた液晶表示装置が知られている(例えば、特許文献３参照。)。そして、マルチドメイン型垂直配向モードを用いた液晶表示装置では、垂直配向処理を採用したことによって、配向膜表面近傍に位置する液晶分子がアレイ基板に対して垂直となり、液晶層の複屈折率がほぼ０となるため、十分な黒表示ができるから、高いコントラストを得ることができる。さらに、このマルチドメイン型垂直配向モードを用いた液晶表示装置は、視野角の補償設計が比較的容易で広い視野角を実現可能であるとともに、静電気破壊などの不良原因が危惧されていたラビング配向処理工程が省略できる。また、このマルチドメイン型垂直配向モードを用いた液晶表示装置では、視覚特性を向上させるために反射表示領域に設けられている反射面の表面に拡散機能を付加させている。
【特許文献１】特開２００３−１１４４１９号公報
【特許文献２】特開平４−７５０２２号公報
【特許文献３】特開２００２−２２９０２８号公報
【発明の開示】
【発明が解決しようとする課題】
【００１２】
上述したように、上記マルチドメイン型垂直配向モードを用いた液晶表示装置では、光の反射を利用して画像を目視可能にさせる場合に、視覚特性を向上させるために反射面に拡散機能を付加させている。したがって、この反射面に拡散機能を付加したことによって、この反射面にて反射される光のうち、斜めの反射光が強くなるから、青色の反射光が強調されてしまうので、表示品位が低下してしまうという問題を有している。
【００１３】
本発明は、このような点に鑑みなされたもので、表示品位を向上できる液晶表示装置を提供することを目的とする。
【課題を解決するための手段】
【００１４】
本発明は、透光性基板、およびこの透光性基板の一主面上にマトリクス状に設けられた複数の画素を備えたアレイ基板と、このアレイ基板の透光性基板の一主面に対向して配設された透光性基板を備えた対向基板と、前記アレイ基板と前記対向基板との間に介在された液晶層とを具備し、前記複数の画素は、少なくとも明暗表示が可能な明暗表示部を有し、光の反射を利用して視認可能な反射領域を備え、この反射領域の明暗表示部には、前記液晶層を動作させない非動作領域が設けられ、前記画素の少なくともいずれかの前記非動作領域には、赤色に着色された赤色層および緑色に着色された緑色層のいずれかが積層されているものである。
【００１５】
そして、複数の画素の反射領域に設けられている明暗表示部の液晶層を動作させない非動作領域に、赤色に着色された赤色層および緑色に着色された緑色層のいずれかを積層させた。
【発明の効果】
【００１６】
通常、円偏光板には偏光板にλ／４位相差板が積層されているが、これら位相差板は屈折率が波長によって異なる波長分散特性を有することにより、すべての波長で完全な円偏光ができない。円偏光板は視感度が最も高い緑色の波長である、例えば５５０ｎｍの波長で円偏光できるように一般的に設定されているため、波長が短い青色光で楕円率が円からずれてしまうことから反射光が強くなる。
【００１７】
また、偏光板および位相差板には視野特性があるため、斜めに入射し、反射する光も青色が強くなってしまう。液晶表示装置の反射領域では視野特性を向上させる観点から、反射電極を凹凸状にして拡散機能を加えているため、斜めの反射光の影響が大きくなる。
【００１８】
本発明によれば、画素内に非動作領域を設けることにより反射される光が青みの少ない光となり、この非動作領域にて反射される光を無彩色化できるから、これら非動作領域にて青みの少ない黒表示が可能となるとともに、これら非動作領域での反射光の強度も低下する。したがって、複数の画素それぞれでの色味を目立たなくできるので、これら複数の画素での表示品位を向上できる。
【発明を実施するための最良の形態】
【００１９】
以下、本発明の液晶表示装置の第１の実施の形態の構成を図１および図２を参照して説明する。
【００２０】
図１および図２において、１は液晶表示装置としての液晶セルで、この液晶セル１は、広視野の半透過型(反透過型)の液晶表示素子である。また、この液晶セル１は、マルチドメイン型垂直配向(ＶＡ:Vertically Aligned)方式と呼ばれる広視野角モードを用いた垂直配向型の液晶モードを有する表示装置である。そして、この液晶セル１は、略矩形平板状のアレイ基板２に略矩形平板状の対向基板３が対向して配設され、これらアレイ基板２と対向基板３との間に光変調層として液晶層４が介在されて挟持されて構成されている。
【００２１】
さらに、この液晶セル１のアレイ基板２は、略透明な矩形平板状のガラス基板６を有している。このガラス基板６は、透光性を有するとともに電気的な絶縁性を有する透明基板としての透光性基板である。そして、このガラス基板６の一主面である表面上の中央部には、矩形状の画素表示領域としての画像表示領域７が設けられており、この画像表示領域７に複数の画素８がマトリクス状に配置されている。
【００２２】
これら複数の画素８のそれぞれは、ガラス基板６の縦方向に沿った長尺状である平面視細長矩形状に形成されている。さらに、これら複数の画素８のそれぞれには、複数の画素電極９や、蓄積容量としての画素補助容量である補助容量、スイッチング素子としてのアクティブマトリクス素子である薄膜トランジスタ(ＴＦＴ)のそれぞれが１画素構成素子として１つずつ配置されている。
【００２３】
また、このガラス基板６上には、第１の配線としてのゲート線である複数の図示しない走査線が、このガラス基板６の幅方向に沿って配設されている。これら走査線は、導電性膜にて構成されたゲート電極配線であって、ガラス基板６の横方向に向けて等間隔に平行に離間されている。さらに、このガラス基板６上には、第２の配線としての複数の図示しない信号線が、このガラス基板６の縦方向に沿って配設されている。これら信号線は、導電性膜にて構成された電極配線としての画像信号配線であって、ガラス基板６の横方向に向けて等間隔に平行に離間されている。そして、これら走査線および信号線は、導電性膜をスパッタ法などで成膜した後にパターニングして作成されている。
【００２４】
さらに、これら走査線および信号線は、ガラス基板６上に直交して交差して格子状に配線されている。そして、これら走査線および信号線にて囲まれた矩形状の各領域に画素８がそれぞれ設けられている。さらに、これら走査線および信号線の各交点に対応して、画素電極９、補助容量および薄膜トランジスタのそれぞれが各画素８毎に設けられている。
【００２５】
ここで、これら各画素８は、これら画素８の縦方向である長手方向の中央部において、これら画素８の幅方向に沿って領域が２等分に分割され、これら各画素８の二等分された一方の領域である上側の領域が、光の反射を利用して視認可能な反射方式の表示が可能な反射領域としての反射表示部である反射表示領域13とされている。この反射表示領域13は、光の反射の有無によって視認可能となる領域である。
【００２６】
さらに、これら各画素８の２等分された他方の領域である下側の領域は、光の透過を利用して視認可能な透過方式の表示が可能な透過領域としての透過表示部である透過表示領域14とされている。この透過表示領域14は、光の透過の有無によって視認可能となる領域である。したがって、液晶セル１は、一画素８内に反射表示領域13と透過表示領域14とのそれぞれが設けられていることにより、これら反射表示領域13と透過表示領域14とを兼ね備えた半透過型に構成されている。
【００２７】
また、各画素８内それぞれの透過表示領域14には、これら透過表示領域14の縦方向に沿った断面凸状の畝状突起である対向突起15が設けられている。これら対向突起15は、絶縁体である感光性レジストにて構成された絶縁層であって、配向制御のために設けられた棒状突起である。そして、これら対向突起15は、例えば１０μｍの幅寸法を有するとともに１．５μｍの高さ寸法を有する断面先細略三角形状に形成されている。
【００２８】
具体的に、これら対向突起15は、各透過表示領域14を左右方向である横方向に２分割、すなわち２分の１となるように、これら各透過表示領域14の縦方向に沿って、これら各透過表示領域14の横方向の中間部に直線状に設けられている。よって、これら対向突起15は、各透過表示領域14内の縦方向に亘った全体に設けられ、主に２方向へ配向分割させる。
【００２９】
一方、アレイ基板２は、ガラス基板６上に図示しないアンダーコート層が積層され、このアンダーコート層上に薄膜トランジスタが設けられている。そして、これら薄膜トランジスタを覆うように、アンダーコート層上に絶縁層としての層間絶縁膜16が積層されている。そして、この層間絶縁膜16上には、短辺側の画素ピッチが５０μｍとなるように各画素８に対応して細長矩形平板状の画素電極９が積層されている。
【００３０】
すなわち、これら画素電極９は、各画素８内の反射表示領域13および透過表示領域14のそれぞれを覆う平面視細長矩形状に形成されている。また、これら画素電極９は、これら画素電極９が積層されている同一の画素８内において層間絶縁膜16に設けられている図示しないコンタクトホールを介して薄膜トランジスタのドレイン電極に電気的に接続されている。さらに、この画素電極９は、透明なＩＴＯ(Indium Tin Oxide)にて構成された透過画素電極である。
【００３１】
ここで、各画素８の反射表示領域13には、電圧の印加によって液晶層４を動作させて配向駆動させる明暗表示が可能な動作領域としての液晶駆動領域17と、この液晶層４を動作させずに配向駆動させない常に光を反射させる非動作領域としての液晶不動領域18とのそれぞれが設けられている。
【００３２】
そして、これら各画素８の液晶駆動領域17は、各画素８の反射表示領域13の長手方向の下側の約３分の２の領域を覆う平面視細長矩形状に設けられている。すなわち、これら液晶駆動領域17は、反射表示領域13の幅方向に沿って、この反射表示領域13を３等分したうちの下側に位置する２つの領域のそれぞれを覆うように設けられている。言い換えると、これら液晶駆動領域17は、液晶不動領域18より大きい面積となるように設けられている。
【００３３】
また、画素電極９の液晶駆動領域17に対向する部分は、光を拡散させるために表面が凹凸形状に加工されている。そして、これら液晶駆動領域17内の画素電極９上には、例えばアルミニウム薄膜にて構成された反射電極19が積層されている。これら反射電極19は、これら反射電極19が設けられている同一の画素８内の画素電極９に電気的に接続されており、この画素電極９を介して電圧が印加される。さらに、これら反射電極19は、各画素８の反射表示領域13へと入射した光を拡散させて反射させる反射面として機能する。
【００３４】
一方、液晶不動領域18は、各画素９内の液晶駆動領域17にて覆われていない領域に設けられている。さらに、これら液晶不動領域18は、反射表示領域13の幅方向の全体に亘って設けられている。
【００３５】
そして、画素電極９の液晶不動領域18に対向する部分には、例えばアルミニウム薄膜にて構成された非動作の反射電極である反射層21が積層されている。これら反射層21は、画素電極９および反射電極19のいずれにも電気的に接続されておらず、これら画素電極９および反射電極19を介して電圧が印加されない。さらに、層間絶縁膜16上には、各画素８内の画素電極９、反射電極19および反射層21のそれぞれを覆うように、垂直性を示す配向層としての配向膜22が積層されている。
【００３６】
一方、図３および図４に示すように、アレイ基板２に対向してコモン基板としての矩形平板状の対向基板３が配設されている。この対向基板３は、略透明な矩形平板状のガラス基板32を備えている。このガラス基板32は、透光性を有するとともに電気的な絶縁性を有する透明な透明基板としての透光性基板である。そして、このガラス基板32のアレイ基板２に対向した側の一主面である表面には、着色層としてのカラーフィルタ層33が積層されて設けられている。このカラーフィルタ層33は、ガラス基板32の表面より突出して設けられている。
【００３７】
具体的に、このカラーフィルタ層33は、少なくとも２色以上である１組の色単位、例えば赤（Red:Ｒ）色に着色された着色層である赤色層としての赤色フィルタ部34と、緑（Green:Ｇ）色に着色された着色層である緑色層としての緑色フィルタ部35と、青（Blue:Ｂ）色に着色された着色層である青色層としての青色フィルタ部36との３つのドットが対向基板３の横方向に向けて繰り返し配置されて構成されている。そして、赤色フィルタ部34は、赤色の顔料を分散させた感光性レジストを塗布した後にフォトリソグラフィして形成されている。また、緑色フィルタ部35および青色フィルタ部36もまた、緑色または青色の顔料を分散させた感光性レジストの塗布後のフォトリソグラフィにて形成されている。
【００３８】
ここで、これら赤色フィルタ部34および緑色フィルタ部35のそれぞれは、光の三原色のうちの青色以外の色である赤色または緑色に着色された着色層である。さらに、これら赤色フィルタ部34および緑色フィルタ部35のそれぞれは、対向基板３の縦方向に沿った各画素８内の透過表示領域14と反射表示領域13の液晶不動領域18とのそれぞれに対向する位置に積層されている。さらに、青色フィルタ部36は、対向基板３の縦方向に沿った各画素８内の透過表示領域14に対向する位置のみに積層されている。
【００３９】
したがって、これら各画素８内それぞれの透過表示領域14に対向する位置には、赤色フィルタ部34、緑色フィルタ部35および青色フィルタ部36のいずれかが積層され、これら透過表示領域14がカラー(色彩)表示可能なカラー表示部としてのカラー表示領域37に構成されている。また、これら各画素８内それぞれの反射表示領域13の液晶駆動領域17に対向する位置には、赤色フィルタ部34、緑色フィルタ部35および青色フィルタ部36のいずれも積層されておらず、これら液晶駆動領域17が少なくとも明暗表示であるモノクロ(白黒)表示が可能な明暗表示部としての白黒表示部であるモノクロ表示領域38に構成されている。
【００４０】
そして、これら各画素８内それぞれの反射表示領域13の液晶不動領域18に対向する位置であって、これら液晶不動領域18と同一の反射表示領域13の液晶駆動領域17に赤色フィルタ部34または緑色フィルタ部35が積層されている部分には、この液晶駆動領域17に対向して積層されているものカラーフィルタ層33と同じ赤色フィルタ部34または緑色フィルタ部35が、反射表示領域13にて表示させる黒の色付き防止用のカラーフィルタ層として積層されてモノクロ表示領域38として構成されている。
【００４１】
また、これら各画素８内それぞれの反射表示領域13の液晶不動領域18に対向する位置であって、これら液晶不動領域18と同一の反射表示領域13の液晶駆動領域17に青色フィルタ部36が積層されていない部分では、赤色フィルタ部34、緑色フィルタ部35および青色フィルタ部36のいずれも積層されておらず、モノクロ表示領域38に構成されている。したがって、カラーフィルタ層33は、このカラーフィルタ層33の赤色フィルタ部34および緑色フィルタ部35のそれぞれの平面視の面積が、このカラーフィルタ層33の青色フィルタ部36の平面視の面積より大きくなるように構成されている。
【００４２】
さらに、対向基板３のガラス基板32上には、カラーフィルタ層33を覆うように保護層としてのオーバーコート層39が積層されている。このオーバーコート層39は、ガラス基板32上の略全面に積層されている。さらに、このオーバーコート層39上には、透明な構造体としての段差構造である高さ調整層41がマトリクス状またはストライプ状に設けられている。これら高さ調整層41は、対向基板３をアレイ基板２に対向させた状態で、このアレイ基板２の各画素８の反射表示領域13の液晶駆動領域17のそれぞれに対応して対向する位置に設けられている。
【００４３】
また、これら高さ調整層41は、感光性アクリル樹脂にて約１．０μｍの高さ寸法である膜厚寸法に形成されている。すなわち、これら高さ調整層41は、各画素８の反射表示領域13でのセルギャップＣを各画素８の透過表示領域14でのセルギャップＤの約２分の１にして、各画素８の反射表示領域13での反射電極19および反射層21にて反射される光の光路と、各画素８の透過表示領域14の画素電極９を透過する光の光路とを等しくさせる。
【００４４】
また、これら高さ調整層41およびカラーフィルタ層33の表面には、これら高さ調整層41およびカラーフィルタ層33のそれぞれを覆うように、共通電極としてのコモン電極である矩形平板状の対向電極42が積層されて設けられている。この対向電極42は、透明電極としてのＩＴＯ膜にて形成されている。また、この対向電極42は、対向基板３の表面とアレイ基板２の表面とを対向させた際に、このアレイ基板２のガラス基板６の画像表示領域７全体に亘って対向する矩形状の大きな電極である。言い換えると、この対向電極42は、アレイ基板２に対向基板３を対向させた状態で、このアレイ基板２の画素電極９、反射電極19および反射層21のそれぞれに対向するように配置されている。
【００４５】
さらに、この対向電極42上には、液晶配向を制御するための対向突起15が設けられている。すなわち、これら対向突起15は、対向基板３の表面とアレイ基板２の表面とを対向させた際に、このアレイ基板２の各画素８の透過表示領域14のそれぞれに対応して対向するように、対向電極42上に設けられている。また、この対向電極42上には、各対向突起15を覆うように垂直性を示す配向層である配向膜43が積層されている。
【００４６】
そして、対向基板３は、この対向基板３の対向電極42側をアレイ基板２の画素電極９側に対向させつつ、これらアレイ基板２と対向基板３との間に所定の間隔である液晶封止領域Ｅが形成されるように、スペーサ40を介して平行に離間された状態で図示しないシール材にて貼り合わされて取り付けられている。さらに、これら対向基板３の配向膜43とアレイ基板２の配向膜22との間には、液晶材料としての液晶組成物である細長略円柱状の液晶分子44が注入されて挟持されて液晶層４が形成されている。
【００４７】
したがって、液晶セル１としては、液晶分子44の初期配列をアレイ基板２のガラス基板６に対して分子長手方向または分子遅相軸方向を略垂直に配向させた垂直配向型の液晶モードが設けられている。すなわち、この液晶セル１の液晶層４は、対向基板３の配向膜43とアレイ基板２の配向膜22との間に液晶分子44が介挿されて封止されて構成されている。さらに、この液晶層４は、アレイ基板２の画素電極９と対向基板３の対向電極42との間に液晶容量を形成させる。
【００４８】
さらに、この液晶層４は、アレイ基板２の各画素８内の液晶駆動領域17のそれぞれに高さ調整層41を設けたことによって、各画素８内の液晶駆動領域17での液晶層４の厚さであるセルギャップＣが、各透過表示領域14それぞれでの液晶層４の厚さであるセルギャップＤより小さく構成されている。言い換えると、この液晶層４は、液晶駆動領域17での厚さが各透過表示領域14での厚さより薄く構成されている。
【００４９】
また、アレイ基板２のガラス基板６の裏面と対向基板３のガラス基板32の裏面とのそれぞれには、λ／４の位相差板である４分の１波長の略矩形平板状の位相差板45,46が積層されて取り付けられている。これら位相差板45,46は、屈折率が波長によって異なる波長分散特性を有している。また、これら位相差板45,46上には、略矩形平板状の偏光板47,48がそれぞれ積層されて取り付けられている。そして、これら位相差板45,46および偏光板47,48は、アレイ基板２のガラス基板６の裏面および対向基板３のガラス基板32の裏面の略全面をそれぞれ覆っている。さらに、これら位相差板45,46および偏光板47,48は、視角特性をそれぞれ有しており、アレイ基板２の各薄膜トランジスタが動作する閾値以下の電圧が印加されている状態、すなわち電圧無印加の状態で黒表示させる円偏光機能を有する円偏光板として機能する。
【００５０】
この結果、液晶セル１は、各画素８の薄膜トランジスタをスイッチングして画素電極９および反射電極19のそれぞれに映像用信号を印加して液晶層４中の液晶分子44の配向を制御して、これら各画素８内の画素電極９の液晶駆動領域17にて反射される光を変調させて所定の画像をモノクロ表示させて視認可能にさせると同時に、これら画素電極９の透過表示領域14を透過する光を変調させて所定の画像をカラー表示させて視認可能にさせる。さらに、この液晶セル１の各画素８の液晶不動領域18では、各画素８の薄膜トランジスタのスイッチングによって映像用信号が反射層21に印加されず常時黒表示状態となる。なお、この液晶セル１には、図示しない駆動用ＩＣやフレキシブルケーブルなどが実装されている。
【００５１】
次に、上記一実施の形態の液晶表示装置の製造方法を説明する。
【００５２】
まず、成膜工程とパターニング工程とを繰り返してガラス基板６上の画像表示領域７に画素電極９、補助容量、薄膜トランジスタ、走査線、信号線、反射電極19および反射層21のそれぞれを形成する。
【００５３】
このとき、ガラス基板６上の各画素８内の透過表示領域14および反射表示領域13となる領域のそれぞれを覆うように画素電極９を積層させるとともに、これら各画素８内の反射表示領域13の液晶駆動領域17となる領域上の画素電極９を凹凸形状に加工する。
【００５４】
さらに、これら画素８内の反射表示領域13の液晶駆動領域17となる領域の画素電極９上に反射電極19を積層させるとともに、これら画素８内の反射表示領域13の液晶不動領域18となる領域の画素電極９上に反射層21を積層させる。
【００５５】
この後、これら画素電極９、反射電極19および反射層21上に配向膜22を塗布して積層させてアレイ基板２を作製する。
【００５６】
次いで、ガラス基板32上に、赤色の顔料を分散させた感光性レジストを塗布してからフォトリソグラフィして、アレイ基板２の画素８の透過表示領域14と反射表示領域13の液晶不動領域18とのそれぞれに対向する赤色フィルタ部34を形成する。
【００５７】
この後、このガラス基板32上の赤色フィルタ部34の一側に隣接した位置に緑色の顔料を分散させた感光性レジストを塗布してからフォトリソグラフィして、アレイ基板２の画素８の透過表示領域14と反射表示領域13の液晶不動領域18とのそれぞれに対向する緑色フィルタ部35を形成する。
【００５８】
さらに、このガラス基板32上の緑色フィルタ部35の一側と赤色フィルタ部34の他側との間の位置に青色の顔料を分散させた感光性レジストを塗布してからフォトリソグラフィして、アレイ基板２の画素８の透過表示領域14それぞれのみに対向する青色フィルタ部36を形成してカラーフィルタ層33とする。
【００５９】
次いで、このガラス基板32上のアレイ基板２の各画素８の反射表示領域13の液晶駆動領域17に対向する位置のそれぞれに感光性アクリル樹脂にて高さ調整層41を形成する。
【００６０】
次いで、これら高さ調整層41およびカラーフィルタ層33上に、ＩＴＯ膜をスパッタして対向電極42を形成してから、この対向電極42上のアレイ基板２の各画素８の透過表示領域14に対向する位置に、液晶配向を制御するための対向突起15を形成する。
【００６１】
この後、これら対向突起15を含む対向電極42上に配向膜43を塗布して積層させてから、これらアレイ基板２と対向基板３との間隙を確保しつつスペーサ40を介してシール材にて貼り合わせる。
【００６２】
次いで、これらアレイ基板２と対向基板３との間の液晶封止領域Ｅに液晶分子44を充填して、これらアレイ基板２と対向基板３との間の液晶封止領域Ｅに液晶層４を形成する。
【００６３】
さらに、これらアレイ基板２および対向基板３それぞれの裏面に位相差板45,46および偏光板47,48をそれぞれ配置させて、反射表示領域13および透過表示領域14のそれぞれを一画素８内に有する半透過型の液晶セル１としてから、この液晶セル１に駆動用ＩＣおよびフレキシブルケーブルなどを実装させる。
【００６４】
この結果、この液晶セル１を、分光測色計(ＣＭ−２００２：ミノルタ株式会社製)にて測定したところ、図５に示すように、反射の黒表示が無彩色に近いことが分かった。したがって、反射の黒表示の見栄えが黒く、色付きも無い液晶セル１となった。
【００６５】
これに対し、図１０ないし図１２に示す第１の比較例のように、各画素８それぞれの反射表示領域13に液晶不動領域18を設けずに、これら反射表示領域13全体に液晶駆動領域17を形成した液晶セル１の場合には、反射の黒表示が青みがかっていた。さらに、この液晶セル１を、分光測色計(ＣＭ−２００２：ミノルタ株式会社製)にて測定したところ、図５に示すように、反射の黒表示の青みが強いことが分かった。
【００６６】
さらに、図１３および図１４に示す第２の比較例のように、各画素８それぞれの反射表示領域13に液晶不動領域18を設けずに、これら反射表示領域13全体に液晶駆動領域17を形成するとともに、この液晶駆動領域17の一部に対向させて赤色フィルタ部34または緑色フィルタ部35を積層させた液晶セル１の場合には、反射の黒表示が黒く見栄えが良かったが、白表示が黄色みを帯びてしまっていた。さらに、この液晶セル１を、分光測色計(ＣＭ−２００２：ミノルタ株式会社製)にて測定したところ、図５に示すように、反射の黒表示は無彩色に近いが、白表示は黄色みが強いことが分かった。
【００６７】
ここで、反射表示が可能な垂直配向モードの液晶セル１は、円偏光機能を有する偏光板47,48が用いられ、薄膜トランジスタの閾値以下の電圧の印加で黒表示が可能に構成されている。さらに、これら偏光板47,48にはλ／４の位相差板45,46が積層されているが、これら位相差板45,46の屈折率が波長によって異なる波長分散特性を有することにより、全ての波長で完全な円偏光ができない。このため、これら偏光板47,48および位相差板45,46は、視感度が最も高い緑色の波長である、例えば５５０ｎｍの波長で円偏光ができるように一般的に設定されているから、波長が短い青色光で楕円率が円からずれてしまうため反射光が強くなる。
【００６８】
また、これら偏光板47,48および位相差板45,46に視野特性があることにより、これら偏光板47,48および位相差板45,46の表面に対して斜めに入射する光によって青色の反射光が強くなってしまう。さらに、液晶セル１の各画素８の反射表示領域13では視野特性を向上させる観点から、これら反射表示領域13に積層されている反射電極19の反射面を凹凸形状にして拡散機能を加えていることによって、斜めの反射光が強くなるので、同様に青色の反射光が強くなる。
【００６９】
そして、これら青色の反射光が強くなることは、液晶セル１の各画素８の反射表示領域13にカラーフィルタ層33を積層させずにモノクロ表示領域38とさせている場合や、位相差板45,46を１軸性のフィルム１枚のみで構成している場合などに、顕著に現れる。また、この青色の反射光が強くなるという問題は、水平配向のツイステッドネマティック(ＴＮ)モードや、スーパーツイステッドネマティック(ＳＴＮ)モード、電気制御複屈折(Electrically Controlled Birefrigence：ＥＣＢ)モードの液晶セル１でも発生するが、コントラストが高く視野角の広いＶＡモードの液晶セル１の場合に、顕著に表れる。
【００７０】
すなわち、液晶セル１の各画素８の反射表示領域13にカラーフィルタ層33を積層させずに、これら反射表示領域13をモノクロ表示領域38としてモノクロ表示させて黒表示させた場合には、位相差板45,46および偏光板47,48の波長分散特性によって青色の波長の光が液晶セル１の反射電極19にて反射されてしまう。
【００７１】
そこで、上述の第１の実施の形態のように、液晶セル１の各画素８の反射表示領域13に液晶駆動領域17と液晶不動領域18とをそれぞれ設けて、これら画素８の液晶駆動領域17にカラーフィルタ層33を積層させずにモノクロ表示領域38とし、これら画素８の液晶不動領域18にカラーフィルタ層33中の赤色フィルタ部34または緑色フィルタ部35のみを積層させる構成とした。
【００７２】
この結果、これら画素８の反射表示領域13にて反射される光が、青色の捕色である黄色みが強調された光となる。したがって、これら各画素８の反射表示領域13にて反射される光の青みを低減できるので、これら反射表示領域13にて反射される光を無彩色化できるとともに、この光の強度も低下できる。このため、これら反射表示領域13にて反射される光の色みを目立たなくできる。
【００７３】
よって、液晶セル１の各画素８にて表示される画像の色みが補正され、これら画素８にて青みの少ない黒表示が可能となるとともに、これら画素８の反射表示領域13での反射光の強度も低下できる。したがって、これら画素８それぞれでの色味を目立たなくできるので、これら複数の画素８での表示品位を向上できる。このため、液晶セル１を黒表示させたときに栄えが良く色付きの無い黒表示ができるので、黒表示時の反射光の青みが防止された反射表示品位の高い液晶セル１にできる。
【００７４】
なお、上記第１の実施の形態では、透過表示領域13に青色フィルタ部36が積層された画素８内の液晶不動領域18に青色フィルタ部36を積層させない構成の液晶セル１としたが、図６および図７に示す第２の実施の形態のように、これら各画素８内の反射表示領域13の液晶不動領域18のそれぞれに、反射表示黒の色付き防止用として赤色フィルタ部34または緑色フィルタ部35のいずれかを積層させる構成の液晶セル１とすることもできる。
【００７５】
この結果、この液晶セル１を、分光測色計(ＣＭ−２００２：ミノルタ株式会社製)にて測定したところ、図５に示すように、反射の黒表示が無彩色に近いことが分かったので、上記第１の実施の形態と同様の作用効果を奏することができる。
【００７６】
さらに、図８および図９に示す第３の実施の形態のように、各画素８の透過表示領域14に対向して対向突起15が設けられていない水平配向ＥＣＢモードの液晶セル１とすることもできる。この場合、この液晶セル１のカラーフィルタ層33は、上記第１の実施の形態と同様に構成されており、この液晶セル１の対向基板３の対向電極42上の全面に配向膜43が積層されている。そして、この液晶セル１は、ＥＣＢモードが形成されるようにアレイ基板２および対向基板３上の配向膜22,43をラビング処理してから、これらアレイ基板２と対向基板３とが貼り合わされており、これらアレイ基板２と対向基板３との間にｐ型の液晶分子44が充填されて液晶層４が形成されている。
【００７７】
この結果、この液晶セル１を、分光測色計(ＣＭ−２００２：ミノルタ株式会社製)にて測定したところ、図５に示すように、反射の黒表示が無彩色に近いことが分かったので、上記第１の実施の形態と同様の作用効果を奏することができる。
【００７８】
なお、上記各実施の形態では、液晶セル１の画素８の反射表示領域13の液晶不動領域18の全面に赤色フィルタ部34および緑色フィルタ部35のいずれかを積層させたが、これら液晶不動領域18の全面に赤色フィルタ部34および緑色フィルタ部35のそれぞれを分割して積層させたり、これら赤色フィルタ部34および緑色フィルタ部35を多層に積層させたりすることもできる。
【００７９】
また、赤色フィルタ部34、緑色フィルタ部35および青色フィルタ部36の三色の着色層にて構成されたカラーフィルタ層33としたが、液晶不動領域18に積層させるカラーフィルタ層33としては、光の三原色のうちの青色(シアンを含む)以外の色に着色された着色層、例えばマゼンダあるいはイエローに着色された着色層であれば、対応させて用いることができる。
【００８０】
さらに、各画素８内の画素電極９を薄膜トランジスタにて制御する構成としたが、例えば薄膜ダイオードなどの薄膜トランジスタ以外のスイッチング素子で画素電極９を制御する構成とすることもできる。さらに、アクティブマトリクス型の液晶セル１以外の、単純マトリクス型の液晶セル１であっても、対応させて用いることができる。
【図面の簡単な説明】
【００８１】
【図１】本発明の液晶表示装置の第１の実施の形態の一部を示す説明断面図である。
【図２】同上液晶表示装置のアレイ基板の一部を示す説明平面図である。
【図３】同上液晶表示装置の対向基板の一部を示す説明平面図である。
【図４】同上液晶表示装置のアレイ基板に対向基板を対向させた状態の一部を示す説明平面図である。
【図５】同上液晶表示装置の測定結果を示す表である。
【図６】本発明の液晶表示装置の第２の実施の形態の対向基板の一部を示す説明断面図である。
【図７】同上液晶表示装置のアレイ基板に対向基板を対向させた状態の一部を示す説明平面図である。
【図８】本発明の液晶表示装置の第３の実施の形態の対向基板の一部を示す説明断面図である。
【図９】同上液晶表示装置のアレイ基板に対向基板を対向させた状態の一部を示す説明平面図である。
【図１０】第１の比較例の液晶表示装置のアレイ基板の一部を示す説明断面図である。
【図１１】同上液晶表示装置の対向基板の一部を示す説明平面図である。
【図１２】同上液晶表示装置のアレイ基板に対向基板を対向させた状態の一部を示す説明平面図である。
【図１３】第２の比較例の液晶表示装置の対向基板の一部を示す説明断面図である。
【図１４】同上液晶表示装置のアレイ基板に対向基板を対向させた状態の一部を示す説明平面図である。
【符号の説明】
【００８２】
１    液晶表示装置としての液晶セル
２    アレイ基板
３    対向基板
４    液晶層
６    透光性基板としてのガラス基板
８    画素
13    反射領域としての反射表示領域
18    非動作領域である液晶不動領域
32    透光性基板としてのガラス基板
34    赤色層としての赤色フィルタ部
35    緑色層としての緑色フィルタ部
36    青色層としての青色フィルタ部
37    カラー表示部としてのカラー表示領域
38    明暗表示部としてのモノクロ表示領域
44    液晶分子
【図１】
2007147874.tif 000003
【図２】
2007147874.tif 000004
【図３】
2007147874.tif 000005
【図４】
2007147874.tif 000006
【図５】
2007147874.tif 000007
【図６】
2007147874.tif 000008
【図７】
2007147874.tif 000009
【図８】
2007147874.tif 000010
【図９】
2007147874.tif 000011
【図１０】
2007147874.tif 000012
【図１１】
2007147874.tif 000013
【図１２】
2007147874.tif 000014
【図１３】
2007147874.tif 000015
【図１４】
2007147874.tif 000016